(57)【要約】【課題】竿体の形状や強度に対する設計自由度を高める。【解決手段】竿体を備え、竿体は、複数の帯状体３０を備え、帯状体３０は、前片３１と後片３２とを備え、前片３１は、後側に向けて徐々に幅狭となる後方幅狭部３５を有し、後片３２は、前側に向けて徐々に幅狭となる前方幅狭部３６を有し、後方幅狭部３５の少なくとも一部と前方幅狭部３６の少なくとも一部が、互いに重なっており、前片３１の幅は、後片３２の幅よりも狭く、前片３１は、第一プリプレグからなり、後片３２は、第一プリプレグとは異なる第二プリプレグからなる。【選択図】図５
2020195341.tif 000002
【特許請求の範囲】
【請求項１】
竿体を備えた釣竿であって、
前記竿体は、複数の帯状体を備え、
前記帯状体は、竿元側に向けて徐々に幅狭となる竿元側幅狭部を有する竿先帯状体部と、竿先側に向けて徐々に幅狭となる竿先側幅狭部を有する竿元帯状体部と、を備え、
前記竿元側幅狭部の少なくとも一部と前記竿先側幅狭部の少なくとも一部が、互いに重なっている、釣竿。
【請求項２】
前記竿先帯状体部の幅は、前記竿元帯状体部の幅よりも狭い、請求項１に記載の釣竿。
【請求項３】
前記竿体は、前記竿先帯状体部からなる小径部と、前記竿元帯状体部からなる大径部と、前記竿元側幅狭部と前記竿先側幅狭部とが重なる部分を含む拡径部と、を有する、請求項２に記載の釣竿。
【請求項４】
前記竿先帯状体部は、第一プリプレグからなり、前記竿元帯状体部は、前記第一プリプレグとは異なる第二プリプレグからなる、請求項１乃至３の何れかに記載の釣竿。
【請求項５】
前記竿先帯状体部と前記竿元帯状体部は、何れも幅方向に対称形状であり、前記竿先帯状体部の幅方向の中心線と前記竿元帯状体部の幅方向の中心線は、前記竿体の周方向において同一線上に位置している、請求項１乃至４の何れかに記載の釣竿。
【発明の詳細な説明】
【技術分野】
【０００１】
本発明は、竿体を備えた釣竿に関する。
【背景技術】
【０００２】
プリプレグから竿体を製造することができる。プリプレグは例えば竿体の全長に亘る長さを有している。プリプレグはマンドレルに二巻き以上巻き付けられる。このようにプリプレグが二巻き以上周回された構成では、竿体の形状や強度に制約が生じやすい。
【０００３】
一方、下記特許文献１では、竿体の一周分の層が、四つの分割片によって形成されている。この構成によれば、竿体の直径が大きく変化する場合であっても、その変化に対応しやすい。しかしながら、竿体の形状や強度に対する設計自由度を更に高めることができる構成が求められる。
【先行技術文献】
【特許文献】
【０００４】
【特許文献１】特開２０１８−７５８２号公報
【発明の概要】
【発明が解決しようとする課題】
【０００５】
本発明は、竿体の形状や強度に対する設計自由度を高めることを課題とする。
【課題を解決するための手段】
【０００６】
本発明に係る釣竿は、竿体を備えている。竿体は、複数の帯状体を備えている。帯状体は、竿先帯状体部と竿元帯状体部とを備えている。竿先帯状体部は、竿元側幅狭部を有している。竿元側幅狭部は、竿元側に向けて徐々に幅狭となっている。竿元帯状体部は、竿先側幅狭部を有している。竿先側幅狭部は、竿先側に向けて徐々に幅狭となっている。竿元側幅狭部の少なくとも一部と竿先側幅狭部の少なくとも一部が互いに重なっている。
【０００７】
好ましくは、竿先帯状体部の幅は、竿元帯状体部の幅よりも狭い。
【０００８】
好ましくは、竿体は、小径部と大径部と拡径部とを有している。小径部は、竿先帯状体部からなる。大径部は、竿元帯状体部からなる。拡径部は、竿元側幅狭部と竿先側幅狭部とが重なる部分を含んでいる。
【０００９】
好ましくは、竿先帯状体部は、第一プリプレグからなり、竿元帯状体部は、第一プリプレグとは異なる第二プリプレグからなる。
【００１０】
好ましくは、竿先帯状体部と竿元帯状体部は、何れも幅方向に対称形状であり、竿先帯状体部の幅方向の中心線と竿元帯状体部の幅方向の中心線は、竿体の周方向において同一線上に位置している。
【発明の効果】
【００１１】
以上のように、本発明に係る釣竿は、竿体の形状や強度に対する設計自由度を高めることができる。
【図面の簡単な説明】
【００１２】
【図１】本発明の一実施形態における釣竿の要部を示す縦断面図。
【図２】同釣竿の竿体を示す縦断面図。
【図３】（ａ）は同竿体の横断面図、（ｂ）は同竿体の要部縦断面図。
【図４】同竿体の製造工程を示す図。
【図５】同竿体の製造工程を示す図。
【図６】同竿体の製造工程を示す模式図。
【図７】（ａ）及び（ｂ）は、同竿体の製造工程を示す模式図。
【図８】本発明の他の実施形態における釣竿の竿体の要部を示す正面図。
【図９】同竿体の製造工程を示す図。
【図１０】本発明の他の実施形態における釣竿の竿体の要部を示す正面図。
【図１１】同竿体の製造工程を示す図。
【図１２】本発明の他の実施形態における釣竿の竿体の製造工程を示す図。
【発明を実施するための形態】
【００１３】
以下、本発明の一実施形態に係る釣竿について図１〜図７を参酌しつつ説明する。尚、竿先側を前側とし、竿元側を後側とする。図１に示すように、本実施形態における釣竿は、図示しないリールを取り付けるためのリールシート２を備えたものである。リールシート２は、パイプシートとも称される筒状のものである。リールシート２は、釣竿の竿本体１（ブランク）に外装されて所定位置に移動不能に固定される。リールシート２に竿本体１が挿通される。竿本体１は中空状あるいは中実状である。リールシート２は、竿本体１の外周面の所定位置に接着等により固定されている。尚、本実施形態におけるリールシート２は、スピニングリールを固定するためのものである。但し、リールシート２は、両軸受けリールを固定するためのものであってもよい。
【００１４】
本実施形態において、竿本体１は、前側竿体３と、後側竿体４とを備えている。後側竿体４は、前側竿体３の後側に位置する。後側竿体４は、前側竿体３の後側に接合されている。前側竿体３と後側竿体４が内外重ね合わせられることにより、所定長さの重ね合わせ部５が形成されている。前側竿体３の後部と後側竿体４の前部とが接合されている。前側竿体３は、リールシート２よりも前側に延びている。後側竿体４は、リールシート２よりも後側に延びている。後側竿体４の後端部には尻栓６が装着されている。
【００１５】
後側竿体４は、リアグリップ部１０を有している。リアグリップ部１０は、後側竿体４の後部に一体的に形成されている。リアグリップ部１０は、後側竿体４の後端部側の所定長さ領域が局所的に拡径されたものである。リアグリップ部１０はリールシート２から後側に離れている。リアグリップ部１０は、後側竿体４の最後部に位置している。リアグリップ部１０には、釣竿を持っている手の肘や前腕が当てられる。また、両手でキャストする場合には、リアグリップ部１０は、リールシート２を持つ手とは反対側の手で把持される。
【００１６】
釣竿の種類は任意であって、並継ぎ竿や振出竿等であってよい。例えば、ワンピースロッドの場合には前側竿体３は穂先まで連続した一本構造である。ツーピースロッドの場合には、釣竿は、穂先側の一番竿と元側の二番竿とから構成される。二番竿にリールシート２が備えられる。二番竿は、前側竿体３と後側竿体４から構成される。
【００１７】
前側竿体３は、中空状であるが、中実状であってもよい。例えば中空状の前側竿体３は、プリプレグをマンドレル（図示省略）に巻回して加熱焼成することにより形成される。プリプレグの強化繊維は、例えばカーボン繊維やガラス繊維である。後側竿体４は、本実施形態では中空状である。但し、後側竿体４は、中実状であってもよい。後側竿体４は、プリプレグをマンドレル１００（図４参照）に巻回して加熱焼成することにより形成される。
【００１８】
後側竿体４の単体を図２に示している。後側竿体４は、小径部１１と、小径部１１の後側に連続する急拡径部１２（拡径部）と、急拡径部１２の後側に連続する大径部１３とを有している。小径部１１は、後側竿体４の前部を構成している。急拡径部１２と大径部１３が、リアグリップ部１０を構成している。小径部１１は、後側竿体４の前端部から所定長さ領域を構成している。小径部１１の長さは、後側竿体４の全長のうち半分以上の長さとすることができる。小径部１１は、後側竿体４の主要部分とすることができる。小径部１１は、リアグリップ部１０よりも長い。小径部１１は、内径一定のストレート部となっているが、勾配があってもよい。小径部１１にリールシート２が装着されている。
【００１９】
急拡径部１２は、小径部１１の後側に連続している。急拡径部１２は、小径部１１の勾配よりも急な勾配で後側に向けて拡径している。急拡径部１２は、前後二つの領域に区分される。急拡径部１２は、前側の面部１２ａと後側の面部１２ｂとに区分される。前側の面部１２ａは後側の面部１２ｂに比して勾配が急である。大径部１３は、急拡径部１２の後側に連続している。大径部１３は、小径部１１よりも大径である。大径部１３は、急拡径部１２の後端部から後側竿体４の後端部まで延びている。大径部１３は、小径部１１と同様に、内径一定のストレート部である。小径部１１は、前側のストレート部であって、大径部１３は、後側のストレート部である。大径部１３の長さは、例えば急拡径部１２の長さよりも短い。尚、急拡径部１２の形状は種々であってよく、前後二つの領域に区分されていなくてもよい。
【００２０】
後側竿体４の層構造について説明する。図３に後側竿体４の層構造の一例を示している。後側竿体４は、内側から順に、筒状のメイン層２０と、筒状のサブ層２１とを備えている。メイン層２０は、後側竿体４の全長に亘って形成されている。メイン層２０は、強化繊維を有する繊維強化樹脂層である。メイン層２０は、プリプレグから形成されている。本実施形態においてメイン層２０は、後側竿体４の最内層を構成している。
【００２１】
＜メイン層２０＞
メイン層２０は、複数の帯状体３０により構成されている。複数の帯状体３０は、後側竿体４の周方向に並んで配置されている。周方向に隣り合う帯状体３０の両側縁部同士は互いに重なり合っている。帯状体３０は、後側竿体４の全長に亘って延びている。帯状体３０の長さは、後側竿体４の全長に対応した長さである。帯状体３０の幅は、後側竿体４の一周分よりも小さい。複数の帯状体３０は全て同一形状とされることが好ましいが、互いに異なる形状であってもよい。帯状体３０は、プリプレグから構成されている。帯状体３０は、強化繊維を備えた繊維強化樹脂製である。強化繊維は、例えば、カーボン繊維やガラス繊維等であり、特にカーボン繊維が好ましい。
【００２２】
本実施形態において、四つの帯状体３０を一組として構成されている。メイン層２０は、例えば四つの帯状体３０から構成されたり、あるいは、合計八つの帯状体３０から構成されたりする。四つ一組の帯状体３０は、何れも同じ構成であることが好ましいが、異なっていてもよい。本実施形態では、四つの帯状体３０は互いに同じ構成である。帯状体３０の構成について更に説明する。帯状体３０は、前後二つの片から構成されている。帯状体３０は、前片３１（竿先帯状体部）と、前片３１に対して相対的に後側に位置する後片３２（竿元帯状体部）とから構成されている。前片３１の前端部３１ａは、帯状体３０の前端部に位置する。即ち、前片３１の前端部３１ａは、後側竿体４の前端部に位置する。前片３１の後端部３１ｂは、帯状体３０の後端部に位置する。即ち、前片３１の後端部３１ｂは、後側竿体４の後端部に位置する。但し、前片３１の後端部３１ｂは後側竿体４の後端部よりも前側に位置していてもよい。後片３２の前端部３２ａは、後側竿体４の中間部近傍に位置する。後片３２の後端部３２ｂは、帯状体３０の後端部に位置する。即ち、後片３２の後端部３２ｂは、後側竿体４の後端部に位置する。
【００２３】
前片３１の形状と後片３２の形状は、互いに異なっている。前片３１の形状と後片３２の形状は、何れも種々であってよい。前片３１と後片３２は、好ましくは、何れも幅方向に対称形状である。前片３１の幅方向の中心線３３と後片３２の幅方向の中心線３４は、後側竿体４の周方向において同一線上に位置していることが好ましい。前片３１は、後側に向けて徐々に幅狭となる後方幅狭部３５（竿元側幅狭部）を有していることが好ましい。後片３２は、前側に向けて徐々に幅狭となる前方幅狭部３６（竿先側幅狭部）を有していることが好ましい。
【００２４】
図５（ａ）に前片３１と後片３２の一例を示している。前片３１は、帯状体３０の全長に対応した長さを有している。前片３１は、後側竿体４の全長に対応した長さを有している。但し、前片３１の長さは、後側竿体４の全長よりも短くてもよい。前片３１は、幅一定の主部３７と、主部３７の後側に連続する後方幅狭部３５とを有している。主部３７は、長方形である。主部３７の長さは、長方形の長辺の長さである。主部３７の幅は、長方形の短辺の長さである。主部３７の幅は、後側竿体４の小径部１１の一周分の周長よりも小さい。主部３７の幅は、例えば、後側竿体４の小径部１１の一周分の約半分程度である。後方幅狭部３５は、後側を頂部とする二等辺三角形である。従って、前片３１は、全体として、五角形である。
【００２５】
後片３２は、その全体が前方幅狭部３６である。後片３２は、前端部３２ａを頂部とする二等辺三角形である。後片３２の長さは、例えば前片３１の後方幅狭部３５の長さと同じである。但し、後片３２の長さは、前片３１の後方幅狭部３５の長さよりも長くてもよいし、短くてもよい。後片３２の後端部３２ｂの幅は、前片３１の主部３７の幅よりも大きいことが好ましい。後片３２の後端部３２ｂの幅は、後側竿体４の大径部１３の一周分の周長よりも小さい。後片３２の後端部３２ｂの幅は、例えば、後側竿体４の大径部１３の一周分の約半分程度である。
【００２６】
図５（ｂ）のように、前片３１と後片３２は互いに部分的に重なり合っている。前片３１と後片３２のうち何れが外側に位置してもよいが、本実施形態では、前片３１が外側に位置し、後片３２が内側に位置している。重なり合った状態において、前片３１の幅方向の中心線３３と後片３２の幅方向の中心線３４は、後側竿体４の周方向において同一線上に位置する。後片３２の前端部３２ａは、前片３１の主部３７と後方幅狭部３５との境界部あるいは境界部近傍に位置する。前片３１の後端部３１ｂは、後片３２の後端部３２ｂと略一致する。前片３１の後方幅狭部３５と後片３２の前方幅狭部３６とが部分的に重なり合う。前片３１と後片３２が重なり合った部分を縦重なり部３８と称する。本実施形態において、縦重なり部３８は、菱形あるいは凧形である。このように帯状体３０は、前片３１と後片３２が部分的に重なり合うことにより構成されている。縦重なり部３８は、後側竿体４の少なくとも急拡径部１２に位置する。縦重なり部３８が急拡径部１２に位置することにより、シワが発生しにくい。
【００２７】
前片３１を構成する第一プリプレグと、後片３２を構成する第二プリプレグは、互いに同じものであってもよいが、互いに異なるものとすることができる。例えば、第一プリプレグの強化繊維と第二プリプレグの強化繊維の種類を変えることができる。第一プリプレグの強化繊維と第二プリプレグの強化繊維の種類が同じであっても、例えば、弾性率の異なるものを用いることができる。第一プリプレグの樹脂含有率に対して第二プリプレグの樹脂含有率を異なるものとすることができる。第一プリプレグの強化繊維の方向と第二プリプレグの強化繊維の方向を異なるものとすることができる。第一プリプレグを例えば二軸のものとし、第二プリプレグを例えば四軸のものとしたりすることができる。第一プリプレグの厚さと第二プリプレグの厚さを異なるものとすることができる。このように、第一プリプレグの仕様と第二プリプレグの仕様を異なるものとすることで、後側竿体４の設計の自由度が高まる。
【００２８】
図４及び図６のように、後側竿体４は、四つの帯状体３０をマンドレル１００に貼り付けて加熱焼成することにより形成される。マンドレル１００の形状は、図４のように、後側竿体４の形状に対応している。マンドレル１００は、前側から順に、小径部１１を形成するための第一領域１０１と、急拡径部１２を形成するための第二領域１０２と、大径部１３を形成するための第三領域１０３とを有している。尚、帯状体３０をマンドレル１００に貼り付ける際には、図７（ａ）のように、前片３１と後片３２を予め重ね合わせた状態として、前片３１と後片３２をまとめてマンドレル１００に貼り付けてもよい。また、図７（ｂ）のように、マンドレル１００に前片３１と後片３２を別々に貼り付けてもよい。即ち、前片３１と後片３２を分離した状態で個別にマンドレル１００に貼り付けてもよい。図６のように、四つの帯状体３０は、互いにマンドレル１００の周方向に９０度間隔で貼り付ける。帯状体３０の縦重なり部３８は、マンドレル１００の少なくとも第二領域１０２に位置する。縦重なり部３８は、マンドレル１００の第一領域１０１に部分的に位置する。縦重なり部３８は、マンドレル１００の第三領域１０３に部分的に位置する。以上のようにして、メイン層２０を形成する。
【００２９】
＜サブ層２１＞
サブ層２１は、メイン層２０の外側に形成されている。サブ層２１は、後側竿体４の全長に亘って形成されている。サブ層２１の肉厚は一定である。サブ層２１は、螺旋状の層である。サブ層２１は、螺旋状に巻回された長尺体２２により構成されている。長尺体２２は、所定幅のテープ状のプリプレグからなる。サブ層２１は、テープ状のプリプレグを一定のピッチで螺旋状に巻回することによって形成されている。このピッチは、テープ状のプリプレグの幅の例えば半分である。テープ状のプリプレグが隣のテープ状のプリプレグの外側に重なり合うようにしながら螺旋状に巻回される。テープ状のプリプレグはその長手方向に沿ってカーボン繊維等の強化繊維が途切れることなく連続したものである。サブ層２１は、周方向に沿った強化繊維を備えている。
【００３０】
サブ層２１は、テープ状のプリプレグがメイン層２０の外側に螺旋状に巻回されることにより形成される。サブ層２１は、メイン層２０の全長に亘って形成される。メイン層２０の外側にテープ状のプリプレグが全長に亘って巻回されることで、一定厚のサブ層２１が形成される。そして、図示しない成形テープを巻回して加熱焼成した後、成形テープを除去し、マンドレル１００を脱芯し、端部を必要に応じてカット除去して後側竿体４を形成する。以上のようにして形成された後側竿体４と前側竿体３とが接合一体化されて竿本体１が形成される。竿本体１にリールシート２が装着されて釣竿が完成する。
【００３１】
尚、後方幅狭部３５や前方幅狭部３６の形状は種々であってよい。例えば、二等辺三角形以外の三角形や台形、半円形、半楕円形等であってもよい。また、前片３１の中心線と後片３２の中心線が同一線上に位置しなくてもよい。更には、前片３１が左右非対称形状であったり、後片３２が左右非対称形状であったりしてもよい。
【００３２】
尚、本実施形態では、後側竿体４が急拡径部１２を有していたが、図８のように竿体５０が縮径部５２を有していてもよい。この竿体５０は、大径部５１と、大径部５１の後側に連続する縮径部５２と、縮径部５２の後側に連続する小径部５３とを有している。大径部５１は、内径一定のストレート形状であってよい。小径部５３は、内径一定のストレート形状であってよい。但し、大径部５１と小径部５３は、何れも所定の勾配を有して後側に向けて拡径していてもよい。このような竿体５０のメイン層２０の帯状体３０は、上述したものと前後逆の構成とすることができる。帯状体３０は、例えば図９のような前片３１と後片３２とから構成される。前片３１は、後端部３１ｂを頂部とする二等辺三角形であってその全体が後方幅狭部５４（竿元側幅狭部）である。後片３２は、前端部３２ａを頂部とする二等辺三角形の前方幅狭部５５（竿先側幅狭部）と、長方形状の主部５６とを有する。前片３１と後片３２の少なくとも前方幅狭部５５とが部分的に重なっている。縦重なり部３８は少なくとも縮径部５２に位置している。縦重なり部３８が縮径部５２に位置することにより、シワが生じにくい。
【００３３】
また、竿体６０は、図１０のように、前方大径部６１と、前方大径部６１の後側に連続する縮径部６２と、縮径部６２の後側に連続する小径部６３と、小径部６３の後側に連続する急拡径部６４（拡径部）と、急拡径部６４の後側に連続する後方大径部６５とを有するものであってもよい。前方大径部６１と小径部６３と後方大径部６５は、それぞれストレート形状とすることができる。また、前方大径部６１と小径部６３と後方大径部６５は、所定の勾配を有して後側に向けて拡径する形状であってもよい。このような竿体６０のメイン層２０の帯状体３０は、例えば図１１のような前片３１と後片３２とから構成できる。即ち、前片３１は、後端部３１ｂを頂部とする二等辺三角形であってその全体が後方幅狭部６６（竿元側幅狭部）である。後片３２は、前片３１とは前後対称形状とすることができる。後片３２は、前端部３２ａを頂部とする二等辺三角形であってその全体が前方幅狭部６７（竿先側幅狭部）である。前片３１と後片３２とが部分的に重なっている。縦重なり部３８は、少なくとも、縮径部６２から小径部６３を経て急拡径部６４に至る領域に位置する。また、帯状体３０を図１２のように構成することもできる。即ち、前片３１は、長方形あるいは正方形の主部６８と、後端部を頂部とする二等辺三角形の後方幅狭部６９（竿元側幅狭部）とを有する。後片３２は、前片３１とは前後対称形状とすることができる。後片３２は、前端部を頂部とする二等辺三角形の前方幅狭部７０（竿先側幅狭部）と、長方形あるいは正方形の主部７１とを有する。この場合、例えば前片３１の後方幅狭部６９と後片３２の前方幅狭部７０とが部分的に重なっている。縦重なり部３８は、少なくとも、縮径部６２から小径部６３を経て急拡径部６４に至る領域に位置する。縦重なり部３８が縮径部６２から小径部６３を経て急拡径部６４に至る領域に位置することにより、シワが生じにくい。
【符号の説明】
【００３４】
１    竿本体
２    リールシート
３    前側竿体
４    後側竿体
５    重ね合わせ部
６    尻栓
１０    リアグリップ部
１１    小径部
１２    急拡径部（拡径部）
１２ａ  前側の面部
１２ｂ  後側の面部
１３    大径部
２０    メイン層
２１    サブ層
２２    長尺体
３０    帯状体
３１    前片（竿先帯状体部）
３１ａ  前端部
３１ｂ  後端部
３２    後片（竿元帯状体部）
３２ａ  前端部
３２ｂ  後端部
３３    前片の中心線
３４    後片の中心線
３５    後方幅狭部（竿元側幅狭部）
３６    前方幅狭部（竿先側幅狭部）
３７    主部
３８    縦重なり部
５０    竿体
５１    大径部
５２    縮径部
５３    小径部
５４    後方幅狭部（竿元側幅狭部）
５５    前方幅狭部（竿先側幅狭部）
５６    主部
６０    竿体
６１    前方大径部
６２    縮径部
６３    小径部
６４    急拡径部（拡径部）
６５    後方大径部
６６    後方幅狭部（竿元側幅狭部）
６７    前方幅狭部（竿先側幅狭部）
６８    主部
６９    後方幅狭部（竿元側幅狭部）
７０    前方幅狭部（竿先側幅狭部）
７１    主部
１００  マンドレル
１０１  第一領域
１０２  第二領域
１０３  第三領域
【図１】
2020195341.tif 000003
【図２】
2020195341.tif 000004
【図３】
2020195341.tif 000005
【図４】
2020195341.tif 000006
【図５】
2020195341.tif 000007
【図６】
2020195341.tif 000008
【図７】
2020195341.tif 000009
【図８】
2020195341.tif 000010
【図９】
2020195341.tif 000011
【図１０】
2020195341.tif 000012
【図１１】
2020195341.tif 000013
【図１２】
2020195341.tif 000014